(57)【要約】【課題】得られる丸太が、少なくとも１つの柾目表面を有し、芽の現れる表面積が最低限であるように、チーク木材を切断する方法を提供すること。【解決手段】丸太または薄い断面が、整合かつ合わせて接着されると、柾目表面を有する板またはプランクを形成する。【選択図】　　　　図１１
2004114422.tif 000002
【特許請求の範囲】
【請求項１】
柾目を有する少なくとも１つの表面を持つチーク板を製材する方法において、
外周面によって画定されたチーク材をその年輪に交わるように切断するステップであって、該交わるように切断するステップによって、外周によって境界をつけられた略平坦な表面を有する端面を形成し、前記平坦な表面は、芽無し構造を有する第１、第２、第３、および第４のセクタと、芽有り構造を有する第１、第２、第３、および第４のセクタの境界があり、各芽有りセクタおよび芽無しセクタは、内側の心材部分および外側の辺材部分を有し、それらの前記部分は、境界に沿って連接し、前記各セクタは、一方のタイプの２つのセクタに連接かつその間に配置され、樹心領域に近接した頂点を有し、前記外面で終端する、当該ステップと、
第１の複数の略平行な線、および該第１の複数の線に略直交した第２の複数の略平行な線に沿って、前記平坦な表面を通って縦に切断するステップであって、前記各線は、前記平坦な表面上の予め選択された終点によって画定され、それによって、予め選択された一般的な断面を有する複数の丸太を形成し、該各丸太は、柾目を有する少なくとも１つの側面を有する、当該ステップと、
前記のように形成された複合面のうち少なくとも１つが柾目を有するように前記丸太を整合しかつ連接的に取り付けることによって板を形成するステップと、を含む方法。
【請求項２】
前記第１の複数の線は、それぞれが前記外周に近接した終点を有し１つの芽有りセクタおよび１つの芽無しセクタにある辺材を横断する外側の一対の対向線、およびそれぞれが前記外周に近接した終点を有し２つの芽有りセクタおよび２つの芽無しセクタにある心材を横断する内側の一対の対向線を含めて４本であり、
前記第２の複数の線は、それぞれが前記外周に近接した終点を有し１つの芽有りセクタおよび１つの芽無しセクタにある辺材を横断する外側の一対の対向線、およびそれぞれが前記外周に近接した終点を有し２つの芽有りセクタおよび２つの芽無しセクタにある心材を横断する内側の一対の対向線を含めて４本であり、
前記複数の丸太は４本である、請求項１に記載の方法。
【請求項３】
前記各丸太は、主に辺材であり、略四角形の断面と、柾目を有する２つの略矩形の相互に直交した側面とを有する、請求項２に記載の方法。
【請求項４】
前記第１の複数の線は、樹心領域ならびに２つの対向した芽無しセクタにある辺材および心材を横断する直径線、およびそれぞれが前記外周に近接した終点を有し２つの芽有りセクタおよび２つの芽無しセクタにある辺材および心材を横断する外側の一対の対向線を含めて３本であり、
前記第２の複数の線は、樹心領域ならびに２つの対向した芽無しセクタにある辺材および心材を横断する直径線、それぞれが前記外周に近接した終点を有し２つの芽有りセクタおよび１つの芽無しセクタにある辺材を横断する外側の一対の対向線、およびそれぞれが前記境界に近接した終点を有し対向した芽無しセクタにある心材を横断する内側の一対の対向線を含めて５本であり、
前記複数の丸太は４本である、請求項１に記載の方法。
【請求項５】
前記各丸太は、心材および辺材を含み、略四角形の断面と、柾目を有する１つの略矩形の側面とを有する、請求項４に記載の方法。
【請求項６】
前記第１の複数の線は、それぞれが前記外周に近接した終点を有し１つの芽有りセクタおよび１つの芽無しセクタにある辺材を横断する外側の一対の対向線、それぞれが前記外周に近接した終点を有し２つの芽有りセクタおよび２つの芽無しセクタにある辺材および心材を横断する内側の一対の対向線、およびそれぞれが前記境界に近接した終点を有し１つの芽有りセクタおよび１つの芽無しセクタを横断する、前記外側線と前記内側線との間に位置付けられた一対の対向線を含めて６本であり、
前記第２の複数の線は、それぞれが前記外周に近接した終端を有し１つの芽有りセクタおよび１つの芽無しセクタにある辺材を横断する外側の一対の対向線、それぞれが前記境界に対し略接線方向にあり前記第１の複数の線の前記内側の一対の対向線との交差地点に終点を有する一対の対向線、およびそれぞれが前記外周に近接した終点、ならびに前記第１の複数の線の前記内側の一対の対向線の１つとの交差地点に終点を有する第１および第２の内側の一対の対向線を含めて８本であり、
前記複数の丸太は４本である、請求項１に記載の方法。
【請求項７】
前記各丸太は、全て辺材であり、矩形断面と、柾目を有する１つの略矩形の側面とを有する、請求項６に記載の方法。
【請求項８】
前記第１の複数の線は、それぞれが前記外周上に１つの終点および前記境界に近接した１つの終点を有する第１および第２の一対の対向線を含めて４本であり、
前記第２の複数の線は、それぞれが前記外周上に１つの終点および前記第１の複数の線の１つとの交差地点に１つの終点を有する第１および第２の一対の対向線を含めて４本であり、
前記複数の丸太は４本である、請求項１に記載の方法。
【請求項９】
前記各丸太は、全て辺材であり、楔形断面と、柾目を有する２つの略矩形の相互に直交した側面とを有する、請求項８に記載の方法。
【請求項１０】
前記第１の複数の線は、樹心領域ならびに２つの対向した芽無しセクタにある辺材および心材を横断する直径線、それぞれが前記外周に近接した終点を有し１つの芽無しセクタにある辺材を横断する外側の一対の対向線、およびそれぞれが前記境界に近接した終点を有し１つの芽無しセクタにある心材を横断する内側の一対の対向線を含めて５本であり、
前記第２の複数の線は、樹心領域ならびに２つの対向した芽無しセクタにある辺材および心材を横断する直径線、それぞれが前記外周に近接した終点を有し１つの芽無しセクタにある辺材を横断する外側の一対の対向線、それぞれが１つの芽無しセクタにある心材を横断する、前記外側の一対の対向線の長さに沿った内側の一対の対向線、およびそれぞれが前記外周に近接した終点、ならびに前記第１の複数の線の前記内側の一対の線の１つとの交差地点に終点を有する、前記直径線に対して対称の第１および第２の一対の対向線を含めて９本であり、
前記複数の丸太は８本である、請求項１に記載の方法。
【請求項１１】
前記各丸太は、心材および辺材を含み、略矩形の断面と、柾目を有する２つの対向した略矩形の側面とを有する、請求項１０に記載の方法。
【請求項１２】
それぞれが主に辺材であり柾目を有する少なくとも１つの表面を持つ、複数の連接的に取り付けられる丸太であって、該丸太の前記柾目表面が板の柾目表面を集約的に形成するように整合される該丸太を含む、チーク木材板。
【請求項１３】
それぞれが全て辺材であり柾目を有する少なくとも１つの表面を持つ、複数の連接的に取り付けられる丸太であって、該丸太の前記柾目表面が板の柾目表面を集約的に形成するように整合される該丸太を含む、チーク木材板。
【請求項１４】
それぞれが全て辺材であり柾目を有する少なくとも１つの表面を持つ、複数の連接的に取り付けられたプランクであって、該プランクの前記柾目表面が板の柾目表面を集約的に形成するように整合される該プランクを含む、チーク木材板。
【請求項１５】
前記チーク材は、少なくとも樹齢が４年であるチーク木から切断される、請求項１に記載の方法。
【請求項１６】
前記丸太は、各連接対の丸太を接着的に結合する接着層によって取り付けられる、請求項１に記載の方法。
【発明の詳細な説明】
【０００１】
【発明の属する技術分野】
本発明は、木材板の製材に関し、特に、柾目を有する表面を持つ木材板を形成するためのチーク心材およびチーク辺材を使用することに関する。
【０００２】
【従来の技術】
チークは、自然森林では次第に稀となってきている貴重木材である。したがって、現在、たいていのチーク木材は、プランテーションで栽培された樹木から得られたものであり、プランテーションでは、花が咲き始める前の、より豊かに枝を張っている良好な平均高さに達する樹木の割合が高くなるように成長を管理している。栽培樹木から高品質の木材を得るためには、樹木が辺材の量に比べて比較的大量の心材からなるほど十分大きくなるのに２５年以上の年数をかけなければならない。褐色心材（ｂｒｏｗｎ　ｈｅａｒｔｗｏｏｄ）は、柾目パターンを美学的に満たし、シロアリおよび他の害虫ならびに菌類に抵抗性がある表面を持つ木材板に変えることができる。通常は柾目に欠け、真菌の伝染を非常に被りやすい白辺材（ｗｈｉｔｅ　ｓａｐｗｏｏｄ）は、切除され、廃棄される。チーク・プランテーションを管理する際、残存している樹木が成長する空間を有することができるように、「木立ち（ｓｔａｎｄ）」が植えられてから６年あるいは７年後に、間引き（ｔｈｉｎｎｉｎｇ）を行うことが必要である。伐採される若く小さな樹木は、心材の量に比べて比較的大量の辺材からなるため、その材木（ｌｕｍｂｅｒ）は、通常、板の製材に用いられるのではなく、易燃性材料として、または安価な仕切り壁（ｃｈｅａｐ　ｗａｌｌ　ｐａｒｔｉｔｉｏｎ）に使用される。
【０００３】
【発明が解決しようとする課題】
本発明の目的は、これまで廃棄されるか、あるいは安価な仕切り壁の造設および燃料の提供などの低品質の用途に用いられてきたチーク木の一部を、家具および装飾品の製造などの高品質の用途に適することができるようにチーク材を切断する方法を提供することである。
【０００４】
本発明の別の目的は、チーク辺材の材木を、柾目パターン有する表面を持つ板を形成するのに用いることができる丸太に切断する方法を提供することである。
【０００５】
本発明のこれらの目的ならびに特徴および利点と他の目的ならびに特徴および利点は、以下の詳細な説明および添付図面からさらに明らかになるであろう。図面および説明において、符号は本発明の種々の機構を示し、同様の符号は図面および説明の全体中の同様の機構を指す。
【０００６】
【課題を解決するための手段】
一態様では、本発明は、柾目（ｓｔｒａｉｇｈｔ−ｌｉｎｅ　ｇｒａｉｎ）を有する少なくとも１つの表面を持つチーク板を製材する方法を提供する。該方法は、（ａ）年輪に交わるようにチーク材を横引きして、芽無し構造（ｎｏｎ−ｂｕｄ　ｓｔｒｕｃｔｕｒｅ）を有する４つのセクタおよび芽有り構造（ｂｕｄ　ｓｔｒｕｃｔｕｒｅ）を有する４つのセクタを結合する平面をした端面（ｅｎｄ：木口）を形成することであって、これらのセクタは、芽無しタイプと芽有りタイプとが交互になっており、それぞれが心材および辺材を有する、上記端面を形成すること、（ｂ）第１の複数の略平行な線と、この第１の複数の線に略直交した第２の複数の略平行な線とに沿って、上記平面を通って縦に切断し、それにより、それぞれが柾目を有する少なくとも１つの側部を有する複数の丸太を形成すること、および（ｃ）そのように形成された複合面（ｃｏｍｐｏｓｉｔｅ　ｓｕｒｆａｃｅ）のうち少なくとも１つが柾目を有するように丸太を整合しかつ連接的に取り付けることによって板を形成すること、を含む。
【０００７】
別の態様では、本発明は、連接的に取り付けられた複数の丸太を含むチーク木材板を提供する。各丸太は、辺材が主であり、柾目を有する少なくとも１つの表面を持つ。これらの丸太は、丸太の柾目表面が板の柾目表面を集約的に形成するように整合される。
【０００８】
さらに別の態様では、本発明は、連接的に取り付けられた複数の丸太を含むチーク木材板を提供する。各丸太は、全て辺材であり、柾目を有する少なくとも１つの表面を持つ。これらの丸太は、丸太の柾目表面が板の柾目表面を集約的に形成するように整合される。
【０００９】
さらに別の態様では、本発明は、連接的に取り付けられた複数のプランク（ｐｌａｎｋ：仕上げ済み板材、厚板）を含むチーク木材板を提供する。各プランクは、全て辺材であり、柾目を有する少なくとも１つの表面を持つ。これらのプランクは、柾目を有するプランク表面が柾目の板表面を集約的に形成するように整合される。
【００１０】
【発明の実施の形態】
本発明は、種々の変形形態および代替構造に利用できるが、図面に示した好適な実施形態を以下に詳細に説明する。しかしながら、開示された特定の形態に本発明を制限する意図はないことを理解すべきである。それとは反対に、本発明は、併記の特許請求の範囲に表記されたような本発明の精神および範囲内にあるすべての変形形態、等価物、および代替構造を包含することを意図されている。
【００１１】
本明細書で用いられる場合、「芽有りセクタ」または「芽有りタイプのセクタ」という用語は、年輪に交わるようにチーク木から切断された（すなわち、チーク木の長さに対し略横方向に横引きされた）、芽有り構造を有する材木の部分を示し、その上面（平面図に見られる）は、頂部が樹心（ｐｉｔｈ：髄）領域に近接した略幾何学状のセクタである。「芽有りタイプの木目」という用語は、節だらけのパターン（ｇｎａｒｌｅｄ　ｐａｔｔｅｒｎ）を有する丸太、板、またはプランクの表面も意味している。同様に、本明細書で用いられる場合、「芽無しセクタ」という用語は、芽無し構造を有する材木の部分を示し、「直線的な（ｓｔｒａｉｇｈｔ−ｌｉｎｅ）」および「柾目（ｓｔｒａｉｇｈｔ−ｌｉｎｅ　ｇｒａｉｎ）」という用語は、言及された丸太、板、またはプランクが、柾目パターンを有する少なくとも１つの表面を持つことを意味している。本明細書で用いられる場合、「取り付けられた」という言葉は、言及された丸太、板、またはプランクが、整合され、次に接着されるか、またはともに接着的に結合されることを意味している。しかしながら、製造の簡潔さおよび完成した製品の信頼性に結びついた取り付けの他の形態も適している。
【００１２】
概して、チーク木から材木が横引きされると、図１のように年輪が現れる。通常、１つの年輪は一年で形成され、図１の例における８つの年輪は、その樹木が樹齢８年であることを意味している。チーク木は、成長するにつれて、いつかは枝を生やす「芽（ｂｕｄｓ）」と呼ばれる突起を発生する。芽は、幹の長さに沿った対向する対として形成される。すなわち、特定の位置で２つの芽が１８０度離れており、その２つの芽の真上および真下の芽の対からその位相が９０度ずつ離れて形成される。樹木が成長するにつれ、辺材は、外皮、内皮、および形成層という３つの最も遠い幹層に対してすぐ内側に形成されていくことになる。辺材は、樹液を運ぶのに役立ち、さらなる成長のために栄養物を蓄える。辺材に対して内側にある心材は、既に役目を果たした不活性の細胞から構成される。材木部分が、心材または辺材から構成されるか、あるいはこの２つの組み合わせから構成されるかは、一般に、木の小さな成長中心である樹心からの径方向距離によって決まる。特定の心材または辺材部分は、それが芽に近接しているかどうかに応じて、芽有り構造または芽無し構造を有し得る。心材が比較的ほとんど形成されていない若い樹木では、芽無し部分および芽有り部分は、全てと言わないまでも主として辺材から構成されている傾向が高い。これまで、チーク材の辺材部分は、高級家具用の板の製材などの用途には実用的ではないと考えられてきた。材木が芽無し構造のみを有するか、または芽無し構造を有するだけではないかのそれぞれに応じて、柾目の有無の板を製材するのに心材部分のみが用いられてきた。
【００１３】
図２を参照すると、略平坦な表面３０Ｓは、略円形の断面を有する、横引きされた典型的なチーク材３０の一端面である。チーク材３０は、４つの比較的大きな芽無しセクタＨ１、Ｈ２、Ｈ３、Ｈ４、および２対の対向する芽に起因した４つの比較的小さな芽有りセクタＳ１、Ｓ２、Ｓ３、Ｓ４を有する。この８つのセクタは、対向する横引きされた端面で終端しているチーク材の長さに沿って延在している。各セクタの頂点は、樹心領域３０Ｐに外接する最も内側の年輪Ｒ１と任意に一致する。例としてチーク材３０を用いた場合、図３は、芽無しセクタおよび芽有りセクタの相対位置を表す座標系を示している（５つの好適な実施形態のうち４つの詳細な記載は図２にも示されている）。この取り決め（ｃｏｎｖｅｎｔｉｏｎ）は、羅針盤での地点に関して表面３０Ｓのセクタを確認するためのものである。したがって、芽有りセクタＳ１、Ｓ２、Ｓ３、Ｓ４はそれぞれ、地点Ｎ、Ｅ、Ｓ、Ｗにあり、芽無しセクタＨ１、Ｈ２、Ｈ３、Ｈ４はそれぞれ、地点ＮＥ、ＳＥ、ＳＷ、ＮＷにある。図４は、節３６Ａ、３６Ｂによって例示されるような芽有り構造を有する単一の長手方向領域３４を持つチーク材３２を概略的に示す。
【００１４】
チーク材３０を参照すると、図５および図６は、丸太を得るためにチーク材を縦に切断する既存の方法を示している。第１のステップは、チーク材を四角に切断することである。部分４０Ａ、４０Ｂ、４０Ｃ、４０Ｄを、２対の略平行の破線４２、４４および４６、４８に沿って切断することによって切り出す。各破線は、表面３０Ｓと略垂直な切断面の交差である。次の切断を、対向する略平行な一対の破線５０、５２に沿って行って、比較的大量の芽有りタイプの構造を有する第１の丸太５４、および比較的少量の芽有り構造を有する第２の丸太５６を形成する。両丸太は、矩形断面を有する。チーク材収穫産業で広く行われているこの方法は、材木の大半を廃棄し、一本の所望の丸太のみしか産出しない。図７は、樹齢に応じて、芽有りタイプの柾目パターンが辺材または心材のいずれかから形成された典型的な板である表面６０Ｓを有する、丸太５４から形成された板６０を示す。これとは対照的に、本発明は、略またはさらにはすべてが辺材である若いチーク木から収穫された材木から形成された、柾目を有する板を提供する。
【００１５】
［実施例］
実施例１
図８および図９は、チーク材３０を、本発明の第１の実施形態にしたがって切断して、柾目の表面を持つ切片（ｐｉｅｃｅ）が切断され得る四角形または矩形断面の４本の丸太を産出する方法を示している。第１に、部分６２Ａ、６２Ｂ、６２Ｃ、６２Ｄを、それぞれ破線６４、６６、６８、７０に沿って切断することによって切り出す。第２に、対向する略平行な破線７２、７４、および上記破線７２、７４に略直交した対向する略平行な破線７６、７８に沿って、縦に切断を行い、それによって、それぞれ芽有りタイプの構造を有する４本の矩形または四角形断面の丸太８０、８２、８４、８６を形成する。図８では、破線の対７２、７４および７６、７８は、樹心領域３０Ｐに対して該樹心領域から略等距離のところにあるように対称的に配置される。図１０は、丸太のうち任意の１本から切断され得る、１つの柾目表面９０Ｓを有する切片９０を示す。図１１は、両側を平滑化された後の丸太８０、８２、８４、８６が、平行に整合され、連接的に接着されて、柾目を有する上面９２Ｕ、および柾目と芽有りタイプの木目の組み合わせを有する縁面（ｅｄｇｅ　ｓｕｒｆａｃｅ）９４Ｓを有する板９２を形成する方法を示す。芽有りタイプの木目のほとんどは、下面９２Ｌにあり視界から隠れている。
【００１６】
実施例２
図１２および図１３は、本発明の第２の実施形態にしたがって切断されて、それぞれが柾目の表面を持つ４本の四角形断面の丸太１００、１０１、１０２、１０４、１０６を産出するチーク材３０を示す。第１に、部分１１０Ａ、１１０Ｂ、１１０Ｃ、１１０Ｄを、破線１１２、１１４、１１６、１１８に沿って切断することによって切り出す。第２に、樹心領域３０Ｐを通っての縦の直径切断を、芽無しセクタＨ１、Ｈ２、Ｈ３、Ｈ４（図２を参照）を略両断する略直交の破線１２０、１２２に沿って行い、それによってチーク材を４つ割りにする。第３に、縦の切断を、最も内側の年輪Ｒ１に近接した、対向する略平行な破線１２４、１２６に沿って行い、それによって丸太１００、１０２、１０４、１０６を形成する。図１４は、両側を平滑化された後で、整合され、合わせて接着されて、柾目を有する上面１２８Ｕ、および芽有りタイプの木目を有する縁面１３０Ｓを有する板１２８を形成する丸太を示す。
【００１７】
実施例３
図１５は、本発明の第３の実施形態にしたがって切断されて、全て辺材であるが芽無し構造を有する４本の矩形断面の丸太１３０、１３２、１３４、１３６を産出するチーク材３０を示す。第１に、部分１４０Ａ、１４０Ｂ、１４０Ｃ、１４０Ｄを、それぞれ、破線１４２、１４４、１４６、１４８に沿って切断することによって切り出す。第２に、縦の切断を、年輪Ｒ２に近接した、対向する略平行な破線１５０、１５２に沿って行い、チーク材を、略矩形のブロック形状部分１５４と２つの半円筒形部分１５６、１５８とに分割する。第３に、部分１５４を、年輪Ｒ４に近接した、対向する略平行な破線１６０、１６２に沿って縦に切断して、それぞれ、矩形状の丸太１３４、１３０を形成する。第４に、部分１５６および１５８を、それぞれ、対向する略平行な破線１６８、１７０および１７２、１７４に沿って、ならびに、破線１７６および１７８に沿って縦に切断して、それぞれ、矩形の丸太１３６および１３２を形成する。楔形部分１８４、１８６、１８８、１９０も形成される。図１６は、両側を平滑化された後で、整合され、合わせて接着されて、柾目を有する上面１９２Ｕおよび縁面１９２Ｓを持つ板１９２を形成する丸太１３０、１３２、１３４、１３６を示す。
【００１８】
実施例４
本発明の第４の実施形態では、図１７は、第３の実施形態の副産物として形成された楔形部分２００を切断して、柾目を有する薄いプランクを形成し得る方法を示す。部分２００は、芽無し構造のみを有しているため、表面２００Ａ、２００Ｂおよび端面２０２Ａ、２０２Ｂはすべて柾目を有する。破線２０４に沿った縦の切断により、上面２０６Ｕおよび下面２０６Ｌ、ならびに端面２０６Ｅ、２０６Ｆがすべて柾目を有するプランク２０６が産出される。図１８に示すように、１つの部分が、合わせて接着されて上面２０８Ｕおよび下面２０８Ｌを持つ薄板２０８を形成する複数のプランクを産出することができる。図１９に示すように、この板は、表面２０８Ｌに低品質の板２０９を接着することにより強化することができる。
【００１９】
実施例５
図２０および図２１は、本発明の第５の実施形態にしたがって切断されて、心材と辺材のどちらも含み芽無し構造を有する８本の矩形断面の丸太２１０、２１２、２１４、２１６、２１８、２２０、２２２、２２４を産出するチーク材３０を示す。第１に、部分２２６Ａ、２２６Ｂ、２２６Ｃ、２２６Ｄを、それぞれ、破線２３０、２３２、２３４、２３６に沿って切り出す。第２に、樹心領域３０Ｐを通っての縦の直径切断を、芽無しセクタＨ１、Ｈ２、Ｈ３、Ｈ４（図２を参照）を略等分する略直交の破線２４０、２４２に沿って行い、それによってチーク材を４つのセクタ形状部分２４４、２４６、２４８、２５０に分割する。第３に、２組の略直交な切断を各部分で行って、２本の丸太を形成する。切断は、部分２４４では破線２５２、２５４および２５６、２５８に沿っており、部分２４６では破線２６０、２６２および２６４、２６６に沿っており、部分２４８では破線２６８、２７０および２７２、２７４に沿っており、部分２５０では破線２７６、２７８および２８０、２８２に沿っている。直径線２４０または２４２に略平行なこれらの切断面のそれぞれは、年輪Ｒ１とＲ２の間に位置した終点と、線２３０、２３２、２３４、または２３６に沿って切断することにより形成された角出し端面（ｓｑｕａｒｅｄ−ｏｆｆ　ｅｎｄ）との間に延在する。第３の実施形態におけるように、丸太は、芽無し構造のみ有するので、これらの丸太から形成される板は、その上面および下面ならびに両側端面に柾目のみを有することになる（図１６を参照）。
【００２０】
材木を得る樹木は、少なくとも樹齢が４年であるべきである。５つの実施形態のうちいずれかにしたがって形成される板またはプランクは、シロアリ、害虫、および菌類から保護するために化学的に処理されなければならない。丸太が切断される材木部分の色が褐色でない場合、丸太は、乾燥させた後に接着してから、板またはプランクの製材を進めることができる。仕上げ加工された板またはプランクは、適切な染料により所望に着色することができる。
【図面の簡単な説明】
【図１】年輪に交わるように横引きされた、芽有りセクタのないチーク材の平面図である。
【図２】年輪に交わるように横引きされた、比較的大きな４つの芽無しセクタおよび比較的小さな４つの芽有りセクタを有したチーク材の平面図である。
【図３】図２のチーク材を例として用いた、芽無しセクタおよび芽有りセクタの相対位置を表す座標系を示す図である。
【図４】芽有り構造を有する縦方向の領域を１つ持つチーク材の斜視図である。
【図５】芽無し構造と芽有り構造の組み合わせをそれぞれが有する２本の丸太を形成する、図２のチーク材を切断する従来の方法を示す図である。点線は、縦の切断が行われるところを示す。
【図６】図５の方法により形成された丸太を示す図である。
【図７】芽有りタイプの木目を有する表面を持つ図６の丸太から形成された板を示す図である。
【図８】芽有り構造を有する１つの表面をそれぞれが持つ４本の丸太が形成される、本発明の第１の実施形態による、図２のチーク材を切断する方法を示す図である。
【図９】図８の方法により形成された丸太を示す図である。
【図１０】柾目を有する表面を持つ図９の４本の丸太のうち任意の１本から切断された一片の木材を示す図である。
【図１１】平行に整合され、連接的に接着されて、柾目を有する上面、および一端面に直線的な（柾目）および芽有りタイプの木目の組み合わせを有する板を形成する前の、それぞれが両側を平滑にされた図１０の４つの切片を示す図である。
【図１２】芽有り構造を有する４本の丸太が形成される、第２の実施形態による、図２のチーク材を切断する方法を示す。
【図１３】図１２の方法により形成された丸太を示す図である。
【図１４】平行に整合され、連接的に接着されて、柾目を有する上面、および直線的な（柾目）および芽有りタイプの木目が組み合わさった縁面を有する板を形成する前の、それぞれが両側を平滑にされた図１３の丸太を示す図である。
【図１５】行われる切断が、すべてが芽無し構造をした４本の矩形断面の丸太および４本の楔形断面の丸太が形成されるように、芽有りタイプのセクタを回避する、第３の実施形態による、図２のチーク材を切断する方法を示す図である。
【図１６】平行に整合され、連接的に接着されて、柾目を有する上面および縁面（ｅｄｇｅ）を持つ板を形成する前の、それぞれが両側を平滑にされた図１５の矩形断面の丸太を示す図である。
【図１７】図１５の楔形断面の丸太を切断して柾目を有する薄片を形成する、第４の実施形態による方法を示す図である。
【図１８】図１７の複数の切片を整合かつ連接的に接着することにより形成された薄板を示す図である。
【図１９】図１８の板が、その下に低品質の板を接着することにより強化され得る方法を示す図である。
【図２０】それぞれが芽無し構造を有する８本の丸太が形成される、第５の実施形態による、図２のチーク材を切断する方法を示す図である。
【図２１】図２０の方法により産出された丸太を示す図である。
【符号の説明】
３０…チーク材、８０、８２、８４、８６、９０…丸太、９０Ｓ…柾目表面、９２…チーク木材板、９２Ｕ…柾目表面、Ｈ１、Ｈ２、Ｈ３、Ｈ４…芽無しセクタ、Ｓ１、Ｓ２、Ｓ３、Ｓ４…芽有りセクタ。
【図１】
2004114422.tif 000003
【図２】
2004114422.tif 000004
【図３】
2004114422.tif 000005
【図４】
2004114422.tif 000006
【図５】
2004114422.tif 000007
【図６】
2004114422.tif 000008
【図７】
2004114422.tif 000009
【図８】
2004114422.tif 000010
【図９】
2004114422.tif 000011
【図１０】
2004114422.tif 000012
【図１１】
2004114422.tif 000013
【図１２】
2004114422.tif 000014
【図１３】
2004114422.tif 000015
【図１４】
2004114422.tif 000016
【図１５】
2004114422.tif 000017
【図１６】
2004114422.tif 000018
【図１７】
2004114422.tif 000019
【図１８】
2004114422.tif 000020
【図１９】
2004114422.tif 000021
【図２０】
2004114422.tif 000022
【図２１】
2004114422.tif 000023